(57)【要約】【課題】ソフトマグネットの着色構造の提供。【解決手段】一種のソフトマグネットの着色構造であり、その表面には少なくとも一つ顔料と特殊の膠料によって作られ塗料層を塗布し、当該塗料層は、紫外線の照射を受けると微結晶の膠層を生成し、のソフトマグネットとの間に結晶状の密着状態を作り、ソフトマグネットの表面に滑らかで、摩擦に強く、脱落や亀裂になりにくい特別な色構造を持つ膠層の構造を生成させる。【選択図】図１
0003125250.tif 000002
【実用新案登録請求の範囲】
【請求項１】
当該ソフトマグネットの表面に顔料が混合された微結晶の塗料層を覆い、塗料層とソフトマグネットとの間に結晶状の密着構造を生成し、ソフトマグネット表面に特別な色構造の分布の微結晶の膠層を生成することを特徴とするソフトマグネットの着色構造。
【請求項２】
当該特殊な膠料はアクリル酸硝石、合成樹脂、有機溶剤などによって構成されることを特徴とする請求項１記載のソフトマグネットの着色構造。
【請求項３】
当該塗料層には霧状やきらめく添加物を加入し、ソフトマグネットに霧状やきらめく効果を与えることを特徴とする請求項１記載のソフトマグネットの着色構造。
【請求項４】
当該塗料層の厚みは０.０１ｍｍ程度のことを特徴とする請求項１記載のソフトマグネットの着色構造。
【考案の詳細な説明】
【技術分野】
【０００１】
本考案は、ソフトマグネットの着色構造に関する技術である。
【背景技術】
【０００２】
ソフトマグネットは多く酸化の粉をゴム、プラスチックの複合材料に混合させ、少なくとも一回の着磁加工を通し、パルス電流が通過する異なる磁化エリアを持つ円盤状の着磁ヨークを利用して基礎材料の表面に異なる磁性の磁極を感応させる。これにより、強度をもって互いに吸着でき、又は鉄材質の材料（吸着されるもの）に吸着できるソフトマグネットができる。できたソフトマグネットは栞の製造や書類の固定などの用途に使われる。
【０００３】
伝統なソフトマグネットは使用中において磁粉（酸化鉄）が脱落してユーザの手を汚すことがある。磁粉には毒性があるため、ユーザがマグネットを使用した後に、手に残した磁粉をきれいに洗浄しなかった状態で、誤食したり、体の敏感器官（例えば、目）に接触したりすれば、健康に悪影響を与える。
【０００４】
この問題を解決するために、周知の技術では、ソフトマグネットの表面にラッカーを塗るが、ソフトマグネットの折り目は常に使用上の状況によって亀裂が生じることがあるので、磁粉の脱落は避けられない。また、当該ラッカーも、ユーザや他の者の取り扱い又は使用により、汚損してしまったり、埃、指紋などが付いてしまったりすることで、ソフトマグネット表面の美観が損なわれる。
【０００５】
一方、周知のソフトマグネット表面の色は酸化鉄の成分が原因で、黒褐色になる。この表面の色を変えるために、従来の方法では、その表面に顔料や塗料を印加するか塗りつけて顔料をソフトマグネットの表面に着色させる。しかし、ソフトマグネット（酸化鉄）の分子構造は、塗料の分子構造よりはるかに小さいので、磁粉や塗料がソフトマグネットに付着するのが難しい。たとえソフトマグネットに色を着色させることができたとしても、ユーザの使用時、特によく曲げられることがあるソフトマグネットクリップ、ファイル、折り畳み方式のアクセサリーや磁石タグ等は、ソフトマグネット表面の塗料が磁粉との間の分子の大きさがあまりにも異なるので、付着性が低下になり、塗料や磁粉が脱落しやすくて亀裂しやすくなる。
【０００６】
さらに、ユーザは付着効果の悪いソフトマグネットを使用する際に、脱落した磁粉や塗料は手を汚すことがある。如何にソフトマグネット表面に着色するか、そして、如何に塗料のソフトマグネットへの付着性を改良するかについては、この課題に関する解決方法や建議はいまだにない。
【０００７】
代表的に言えば、ソフトマグネットの組織構造を配慮した上で設計しなおし、周知の構造と違うものができれば、前述した着色しにくくて付着性が悪い欠点を解決できるに違いない。
【考案の開示】
【考案が解決しようとする課題】
【０００８】
以上により、本考案の目的は、主に、ソフトマグネットの着色構造を提供することにあり、それはソフトマグネットの表面に顔料と特殊な膠料によって作られた塗料の層を塗布する。また紫外線の照射を受けた後にソフトマグネットの磁粉分子に近い微結晶膠層を生成する。そして、ソフトマグネットとの間に結晶状の密着状態ができ、ソフトマグネット表面はこの膠層の密着状態によって特別な色組織が分布され、より美観的なソフトマグネットが生成する。
【０００９】
実際的に、本考案はソフトマグネットを含み、当該ソフトマグネットの基部の層は磁石であり、その上に塗料層が塗布されている。当該塗料層はさらに紫外線の照射処理を経れば、表面に微結晶の膠層が生成し、微結晶層とソフトマグネットとの間に結晶状の構造を生成させ、摩擦に強く、塗料の脱落や亀裂しにくい効果を達する。
【課題を解決するための手段】
【００１０】
請求項１の考案は、当該ソフトマグネットの表面に顔料が混合された微結晶の塗料層を覆い、塗料層とソフトマグネットとの間に結晶状の密着構造を生成し、ソフトマグネット表面に特別な色構造の分布の微結晶の膠層を生成することを特徴とするソフトマグネットの着色構造としている。
請求項２の考案は、当該特殊な膠料はアクリル酸硝石、合成樹脂、有機溶剤などによって構成されることを特徴とする請求項１記載のソフトマグネットの着色構造としている。
請求項３の考案は、当該塗料層には霧状やきらめく添加物を加入し、ソフトマグネットに霧状やきらめく効果を与えることを特徴とする請求項１記載のソフトマグネットの着色構造としている。
請求項４の考案は、当該塗料層の厚みは０.０１mm程度のことを特徴とする請求項１記載のソフトマグネットの着色構造としている。
【考案の効果】
【００１１】
本考案は一種のソフトマグネットの着色構造を提供することにあり、それはソフトマグネットの表面た顔料と特殊な膠料によって作られた塗料の層を塗布する。また紫外線の照射を受けた後にソフトマグネットの磁粉分子に近い微結晶膠層を生成する。そして、ソフトマグネットとの間に結晶状の密着状態ができ、ソフトマグネット表面はこの膠層の密着状態によって特別な色組織が分布され、より美観的なソフトマグネットが生成する。
【００１２】
当該ソフトマグネットの基部の層は磁石であり、その上に塗料層が塗布されている。当該塗料層はさらに紫外線の照射処理を経れば、表面に微結晶の膠層が生成し、微結晶層とソフトマグネットとの間に結晶状の構造を生成させ、摩擦に強く、塗料の脱落や亀裂しにくい効果を達する。
【考案を実施するための最良の形態】
【００１３】
図１から図３を参照すること。当創作の着色構造は以下の手順によって構成される。
【００１４】
ステップ１：マルチ用途のアクリル酸硝石１１、合成樹脂１２ （Ａｃｒｙｌｉｃ Ｒｅｓｉｎ）、有機溶剤１３、顔料１４及び塗料添加物１５ （例えば、グリッター）を混合装置で混ぜ合わせて塗料を作る（ＵＶ塗料でも良い。図１の表示のように）。
【００１５】
ステップ２：混ぜ合わせた後の塗料を、適用の塗料装置２で磁石層によって構成されたソフトマグネット３にターゲットの厚み（０．０１ｍｍ程度）まで塗布し、塗料層１を生成する。（図２の表示のように）。
【００１６】
ステップ３：前述の塗料層１を紫外線光源５の下に置き、紫外線光線５１で適当な時間において照射し、塗料層１に微結晶の膠層３１を生成る（図３、図４の表示のように）。その中、微結晶の膠層３１とソフト磁石３の表面は結晶状の構成３２ができ（いわゆる微結晶層３１とソフトマグネット３の磁石層の結晶体間にできた相互の噛み合う状態）、前述の塗料層１に滑らかで摩擦に強く、脱落や亀裂しにくい性質を持たせて保護層を生成させる。
【００１７】
本考案のもう一つの実施可能の範例では、以上の手順１の混ぜ合わせるプロセスにおいて潤滑剤（図示に表示されていない）を加入する。塗料層１がソフトマグネット３に塗布する時に、微結晶によって隔てられた効果があり、塗料層１に他の雑質を混入しにくくする。
【００１８】
さらに、本考案はもう一つの実施可能の範例において、ステップ１の顔料１４に添加物１５ （例えば、グリッター）を加入することができ、ソフトマグネット３に塗布された塗料層１に、特別にきらめくや霧状構造の特殊な視覚効果を持たせる。
【００１９】
図４では、特に本考案が含めるソフトマグネット３を表示する。そのソフトマグネット３は、基部にある磁石層によって構成され、当該ソフトマグネット３は、少なくとも片端の面に塗料層１が塗布されており、当該塗料層１は加工で処理され（例えば、混ぜ合わせ、塗りつけ、紫外線の照射など）。その後、塗料層１の表面に微結晶の膠層３１が生成され、微結晶の膠層３１とソフトマグネットの磁石層との間に結晶状の構造３２が生成する。磁石層とその結晶状の構造３２の噛み合うことで、前述の摩擦に強く、塗料が脱落や亀裂しにくく、そして埃、指紋や汚損が付きにくい効果が達成される。
【００２０】
同時に、顔料１４は微結晶の膠層３１内で色構造の分布を形成し、図４が示すように、ソフトマグネット３との密着状態をもっと安定させ、ソフトマグネット３に相違の又は特別な色分布を持たせる。且つ使用中において脱落しにくい効果があり、一般に知られる磁石よりも理想的であり、美観の視覚効果もある。
【００２１】
以上の説明をまとめると、本考案のソフトマグネットの着色方法及び完成品は、従来の製造法の欠点を無くし、磁石製造業の中で限られた技術発展の分野において大いに進歩をもたらしたことが分かる。
【図面の簡単な説明】
【００２２】
【図１】本考案の塗料及び特殊な膠料の混合表示図である。
【図２】本考案の塗料装置が混合後の塗料をソフトマグネットに塗布する表示図である。
【図３】本考案の塗布後の磁石を紫外線で照射する実施例の表示である。
【図４】本考案の微結晶膠層とソフトマグネットの分子が密着した状態の表示図である。
【符号の説明】
【００２３】
１  塗料層
１１  アクリル酸硝石
１２  合成樹脂
１３  有機溶剤
１４  顔料
１５  塗料の添加物
２  塗料装置
３  ソフトマグネット
３１  微結晶の膠層
３２  結晶状の密着構造
５  紫外線光源
５１  紫外線光線
【図１】
0003125250.tif 000003
【図２】
0003125250.tif 000004
【図３】
0003125250.tif 000005
【図４】
0003125250.tif 000006